(57)【要約】【課題】異なった送信方式のセンサの使用を可能にするためにはそれぞれの送信方式に対応した本体を開発することが必要であり、多くの送信方式の異なるセンサも容易に使用できる健康データ収集装置を提供すること。【解決手段】健康データを測定するセンサ１〜４と、センサ１〜４は測定データを外部に送信及びセンサ１〜４を制御する信号の少なくとも一方を入出力する端子を有し、この端子と有線で接続された信号変換部７と、この信号変換部７と信号を入出力するデータ入出力部８と、通信回線を通じて外部の通信先と通信するための通信部１２とからなっている。【選択図】  図１
2004248899.tif 000002
【特許請求の範囲】
【請求項１】
健康データを測定するセンサと、前記センサは測定データを外部に送信及び前記センサを制御する信号の少なくとも一方を入出力する端子を有し、この端子と有線で接続された信号変換部と、この信号変換部と信号を入出力するデータ入出力部と、通信回線を通じて前記データ入出力部との入出力信号を外部の通信先と通信するための通信部とからなる健康データ収集装置。
【請求項２】
健康データを測定するセンサと、前記センサは測定データを外部に送信及び前記センサを制御する信号の少なくとも一方を入出力する端子を有し、この端子と有線で接続された無線アダプタと、この無線アダプタと無線で信号を入出力するデータ入出力部と、通信回線を通じて前記データ入出力部との入出力信号を外部の通信先と通信するための通信部とからなる健康データ収集装置。
【請求項３】
前記無線アダプタはセンサの入出力回路に電気的に対応したセンサ毎に異なるインターフェース部と無線の送受信を行う共通の無線標準部とからなる請求項２記載の健康データ収集装置。
【請求項４】
前記無線は赤外線とする請求項２または３記載の健康データ収集装置。
【発明の詳細な説明】
【０００１】
【発明の属する技術分野】
本発明は在宅などにおいて血圧や血糖などの健康情報を収集してこれらの健康情報を通信回線を通じてサーバーなどに送り、医師等が遠隔的に患者の健康情報を利用する健康データ収集装置に関する。
【０００２】
【従来の技術】
従来、このような健康データ収集装置はデータ入力部と通信部を備え、通信回線によって外部の通信先と通信するものがあった（特許文献１参照）。図３は前記特許文献１に記載された健康データ収集装置である。
【０００３】
心電計１、血圧計２、体温計３、血糖計４などの健康データを測定するセンサと血圧計２や体温計３はこれらのセンサで測定した健康データを赤外線で本体５に設けられた受信センサ６に送信するための回路を有している。また血糖計４は測定データを血糖計４および本体５に設けられたジャック（図示せず）間を有線で接続して健康データを本体５に送信する。そして本体５にはセンサで測定した健康データを外部に送信するための通信端子（図示せず）を有している。
【０００４】
【特許文献１】
特開２０００−８３９０７号公報（第１図参照）
【０００５】
【発明が解決しようとする課題】
しかしながら前記従来の発明では次の問題点がある。このような健康データ収集装置では健康ケアサービスを受ける側やサービスを提供する側からさまざまな要求があり、健康データ収集装置自体の機能の変更が必要となることが多くある。通常このような健康データ収集装置の機能から考えると、従来の技術に示すような健康ケアを受けるユーザーの血圧や体温などの健康データを収集し、通信回線を通じて通信の相手方に送れば十分な機能を果たすことができる。しかも大部分のユーザーにとっては、この機能だけで十分であるので、健康データ収集装置自体も無駄なコストをかけて高機能化せず、必要最小限な構成にしておくほうが、ユーザーにとっても安価なサービスが提供でき、良い効果をもたらす。
【０００６】
ところでこのような従来の健康データ収集装置は予め決められたセンサを使用することが前提であり、センサと本体との健康データの送信方式も固定されたものである。しかしながら本体の開発と同時にその送信方式にあったセンサの開発が必要となる。またはその反対にセンサの送信方式にあった本体の開発が必要になる。健康データを収集するセンサはさまざまなメーカーのさまざまな機種があり、それらの送信方式には統一された規格等はなくメーカー間でもまた機種間でもさまざまな方式が取られている。また例えば有線の送信方式にしても使用している電圧や送信速度等のさまざまな違いがありそれを本体で吸収することは非効率的であり、コスト等においても現実的に不可能である。
【０００７】
ところで一方このような健康データ収集装置は医師や医療機関の指導の下に使用されるケースが多く、日ごろその指導する医師や医療機関が使い慣れたセンサを使用したいという強い要望がある。しかしながら希望するセンサを選択するためにはそれぞれのセンサに付随した送信方式にあわせた本体の開発が必要となり事実上不可能という課題を有していた。
【０００８】
本発明は上記課題を解決するため、多くの送信方式の異なるセンサも容易に使用できる健康データ収集装置を提供することを目的とする。
【０００９】
【課題を解決するための手段】
前記目的を解決するために本発明の健康データ収集装置は、健康データを測定するセンサと、前記センサは測定データを外部に送信及び前記センサを制御する信号の少なくとも一方を入出力する端子を有し、この端子と有線で接続された信号変換部と、この信号変換部と信号を入出力するデータ入出力部と、通信回線を通じて前記データ入出力部との入出力信号を外部の通信先と通信するための通信部とからなっている。例え異なった送信方式のセンサであっても信号変換部でその信号を変換しデータ入出力部との間の送信は同一の送信方式に統一することができる。したがって多くのセンサに対して信号変換部のみそれぞれのセンサに対応したものを開発すればよくその他の部分はあらたに開発することなく同一のものを使用できる。
【００１０】
【発明の実施の形態】
請求項１に記載の発明は、健康データを測定するセンサと、前記センサは測定データを外部に送信及び前記センサを制御する信号の少なくとも一方を入出力する端子を有し、この端子と有線で接続された信号変換部と、この信号変換部と信号を入出力するデータ入出力部と、通信回線を通じて前記データ入出力部との入出力信号を外部の通信先と通信するための通信部とからなる健康データ収集装置であり、センサに設けられた入出力端子と信号変換部を有線で接続し、さらに信号変換部とデータ入出力部を有線または無線で接続するものである。したがってセンサ毎にその送信方式が異なっていても信号変換部のみそれぞれに対応したものを用意すればそれらのセンサの使用が可能となり、使用できるセンサの数を格段に増やすことができる。
【００１１】
請求項２に記載の発明は健康データを測定するセンサと、前記センサは測定データを外部に送信及び前記センサを制御する信号の少なくとも一方を入出力する端子を有し、この端子と有線で接続された無線アダプタと、この無線アダプタと無線で信号を入出力するデータ入出力部と、通信回線を通じて前記データ入出力部との入出力信号を外部の通信先と通信するための通信部とからなる健康データ収集装置であり、センサと有線で接続した無線アダプタとデータ入出力部間とを無線で信号を入出力する。したがってセンサ毎にその送信方式が異なっていても無線アダプタ部のみそれぞれに対応したものを用意すればそれらのセンサの使用が可能となり、使用できるセンサの数を格段に増やすことができる。
【００１２】
請求項３に記載の発明は特に請求項２に記載の無線アダプタはセンサの入出力回路に電気的に対応したセンサ毎に異なるインターフェース部と無線の送受信を行う共通の無線標準部とからなる構成としたもので、したがってセンサ毎にその送信方式が異なっていてもインターフェース部のみそれぞれに対応したものを開発すればそれらのセンサの使用が可能となる。即ち開発要素を最小限にとどめることができる。そして、使用できるセンサの数を格段に増やすことができる。
【００１３】
請求項４に記載の発明は特に請求項２〜３に記載の無線を赤外線とするもので電波等のノイズによる影響もなく安定してセンサとデータ入出力部間の送受信が実現できる。
【００１４】
【実施例】
以下、本発明の健康データ収集装置を実施例に基づいて説明する。図１に本発明の１実施例の健康データ収集装置のブロック図を示す。この健康データ収集装置は使用者が健康データ収集装置本体の操作を行う操作部６と、心電計１、血圧計２、体温計３、血糖計４などセンサで収集した健康データを本体５に送信するために前記センサと有線で接続された信号変換部７と、この信号変換部７と信号の入出力を行う本体５に設けられたデータ入出力部８と、健康データ収集装置自体の動作状態や、入力された健康データを表示をするための表示部９と、公衆電話回線やローカルエリアネットワークやインターネットなどの通信回線１０を通じて外部の通信先１１と通信するための通信部１２と、これらを制御する制御部１３を備えている。
【００１５】
つまり、心電計１、血圧計２、体温計３、血糖計４などのセンサに設けられたデータを出力またはセンサを制御するために設けられた端子（図示せず）に信号変換部７を有線で接続する。信号変換部７はそれぞれのセンサの送信方式に対応して準備されている。そしてこの信号変換部７でデータ入出力部８と信号の入出力を行うためセンサの送信方式によらない共通の送信方式に変換される。センサの制御信号の場合、信号変換部７はデータ入出力部８から送信される共通の制御信号を各センサに対応した制御信号に変換して心電計１などの各センサに送信する。すなわちごく限られた範囲に開発要素を限定することによって多くの部分を共通で使用することができるとともに新たに使用したいセンサが出てきたときに後からその該当するセンサとそのセンサの送信方式に対応した信号変換部７だけを供給すればよい。
【００１６】
また、信号変換部７のデータ入出力部８との間は電波や赤外線などの無線やシリアル通信のような有線でもよく、赤外線の場合は特に外部からの電波などにノイズ等の影響も少ない。
【００１７】
また、図２のに本発明の別の１実施例の健康データ収集装置のブロック図を示す。１３は無線アダプタで、インターフェース部１４と無線標準部１５から構成されている。即ち、無線標準部１５と本体５に設けられたデータ入出力部８はセンサの送信方式によらず固定されたものでよい。センサ毎の送信方式の違いはインターフェース部１４だけで対応することができる。無線アダプタ１３を使用することによってデータ入出力部８との有線の接続も不要となり、非常に使い勝手のよい健康データ収集システムが実現できる。
【００１８】
【発明の効果】
以上のように本発明の健康データ収集装置によれば、異なった送信方式を有するセンサからの健康データやセンサを制御する信号を本体と送受信するために、各センサに有線でそれぞれのセンサにあった信号変換部を接続するだけで本体に何のハード的変更も要せずに実現することができる。このことは医師や医療機関が使い慣れたセンサの使用を可能にする。また同様に技術的に日進月歩で進化する最新のセンサの使用をそのセンサに対応した信号変換部だけの対応で可能にすることができ、最新の技術で健康データの収集を実現することができる。
【図面の簡単な説明】
【図１】本発明の実施の形態１における健康データ収集装置の構成図
【図２】本発明の実施の形態１における健康データ収集装置の外観図
【図３】従来の健康データ収集装置を示す図
【符号の説明】
１  心電計（センサ）
２  血圧計（センサ）
３  体温計（センサ）
４  血糖計（センサ）
５  本体
６  制御部
７  信号変換部
８  データ入出力部
９  表示部
１０  通信回線
１１  サーバー
１２  通信部
１３  無線アダプタ
１４  インターフェース部
１５  無線標準部
【図１】
2004248899.tif 000003
【図２】
2004248899.tif 000004
【図３】
2004248899.tif 000005